(57)【要約】【課題】端末と装置との間で実行されるジョブに関連する情報を、端末側のウェブブラウザ上で表示可能なデータとして容易にかつ効率良く表示可能に提供し得る画像形成装置を提供する。【解決手段】端末とネットワークを介して接続され、端末と装置との間で実行されるジョブに関連する情報を、端末側のウェブブラウザ上で表示可能なデータとして提供する機能を備えた画像形成装置において、端末からの表示要求に応じて、端末側のウェブブラウザ上で表示可能な表示データを作成する表示データ作成手段と、表示要求元である端末との間で実行される又は実行されたジョブに関連する情報が、装置内に存在するか否かを判断する判断手段と、を設ける。表示データ作成手段は、ジョブに関連する情報が存在すると判断された場合に、端末側で表示要求後に最初に表示されるトップページに対応する表示データとして、ジョブに関連する情報を含むデータを作成する。【選択図】図５
2007148481.tif 000002
【特許請求の範囲】
【請求項１】
情報処理端末とネットワークを介して接続され、該情報処理端末と装置との間で実行されるジョブに関連する情報を、該情報処理端末側のウェブブラウザ上で表示可能なデータとして提供する機能を備えた画像形成装置において、
上記情報処理端末からの表示要求に応じて、該情報処理端末側のウェブブラウザ上で表示可能な表示データを作成する表示データ作成手段と、
表示要求元である情報処理端末との間で実行される若しくは実行されたジョブに関連する情報が、装置内に存在するか否かを判断する判断手段と、を有しており、
上記表示データ作成手段は、上記判断手段により上記ジョブに関連する情報が存在すると判断された場合に、該情報処理端末側で、表示要求後に最初に表示されるトップページに対応する表示データとして、該ジョブに関連する情報を含むデータを作成する、ことを特徴とする画像形成装置。
【請求項２】
上記ジョブが、上記画像形成装置側で印字出力が行われる印刷ジョブであることを特徴とする請求項１記載の画像形成装置。
【請求項３】
上記ジョブが、画像形成装置本体に内蔵される記憶手段へファイルデータを転送するジョブであることを特徴とする請求項１又は２に記載の画像形成装置。
【請求項４】
上記ジョブが、上記情報処理端末へスキャンデータを転送するジョブであることを特徴とする請求項１〜３のいずれか一に記載の画像形成装置。
【請求項５】
上記表示データ作成手段は、上記情報処理端末からのジョブが受け付けられてから所定時間経過した後の該情報処理端末からの表示要求に応じて、該情報処理端末側で最初に表示されるトップページに対応する表示データとして、上記ジョブ情報を含まないデータを作成することを特徴とする請求項１〜４のいずれか一に記載の画像形成装置。
【請求項６】
上記表示データ作成手段は、該情報処理端末側で表示されるトップページに対応する表示データとして、ジョブの停止又はジョブに関連する情報の削除を指示する指示手段を含むデータを作成することを特徴とする請求項１〜５のいずれか一に記載の画像形成装置。
【請求項７】
情報処理端末とネットワークを介して接続され、該情報処理端末と装置との間で実行されるジョブに関連する情報を、該情報処理端末側のウェブブラウザ上で表示可能なデータとして提供する機能を備えた画像形成装置に、
表示要求元である情報処理端末との間で実行される若しくは既に実行されたジョブに関連する情報が、装置内に存在するか否かを判断する手順と、
上記ジョブに関連する情報が存在すると判断された場合に、該情報処理端末側で、表示要求後に最初に表示されるトップページに対応する表示データとして、該ジョブに関連する情報を含むデータを作成する手順と、を実行させる表示制御プログラム。
【発明の詳細な説明】
【技術分野】
【０００１】
本発明は、情報処理端末とネットワークを介して接続され、該情報処理端末と装置との間で実行されるジョブに関連する情報を、該情報処理端末側のウェブブラウザ上で表示可能なデータとして提供する機能を備えた画像形成装置及び表示制御プログラムに関する。
【背景技術】
【０００２】
従来、情報処理端末と、複写機又は多機能複合機（ＭＦＰ）等の画像形成装置とがネットワークを介して通信可能に接続されたプリントシステムにおいては、情報処理端末側で、ウェブブラウザを用いて、画像形成装置の仕様，画像形成装置に対するオプションの装着状態等を含む各種状態，画像形成装置におけるジョブの処理進捗状況を確認したり、画像形成装置の設定条件を変更したりする技術が知られている。これに関連して、例えば特開２００３−２８０８６７号公報及び特開２００４−１１０１７１号公報には、情報処理端末側で、ウェブブラウザを用いて、画像形成装置におけるジョブの処理進捗状況を確認し得る技術が開示されている。
【０００３】
【特許文献１】特開２００３−２８０８６７号公報
【特許文献２】特開２００４−１１０１７１号公報
【発明の開示】
【発明が解決しようとする課題】
【０００４】
しかしながら、通常、情報処理端末側から、ウェブブラウザを用いて、画像形成装置へアクセスし、ジョブの処理進捗状況を確認しようとした場合に、ジョブの処理進捗状況をあらわすジョブ一覧ページを閲覧するには、画像形成装置へのアクセス時に最初に表示されるトップページからジョブ一覧ページへ遷移する操作が必要であった。また、かかるジョブ一覧ページ上に、自分の情報処理端末との間で実行されたジョブに関する情報とともに、他のユーザの情報処理端末との間で実行されたジョブに関する情報も表示されている場合には、その中から自分に関連する情報を探す作業を伴い、煩わしかった。
【０００５】
この発明は、上記技術的課題に鑑みてなされたもので、情報処理端末と装置との間で実行されるジョブに関連する情報を、情報処理端末側のウェブブラウザ上で表示可能なデータとして容易にかつ効率良く表示可能に提供し得る画像形成装置及び情報表示制御プログラムを提供することを目的とする。
【課題を解決するための手段】
【０００６】
そこで、本願の請求項１に係る発明は、情報処理端末とネットワークを介して接続され、該情報処理端末と装置との間で実行されるジョブに関連する情報を、該情報処理端末側のウェブブラウザ上で表示可能なデータとして提供する機能を備えた画像形成装置において、上記情報処理端末からの表示要求に応じて、該情報処理端末側のウェブブラウザ上で表示可能な表示データを作成する表示データ作成手段と、表示要求元である情報処理端末との間で実行される若しくは実行されたジョブに関連する情報が、装置内に存在するか否かを判断する判断手段と、を有しており、上記表示データ作成手段は、上記判断手段により上記ジョブに関連する情報が存在すると判断された場合に、該情報処理端末側で、表示要求後に最初に表示されるトップページに対応する表示データとして、該ジョブに関連する情報を含むデータを作成することを特徴としたものである。
【０００７】
また、本願の請求項２に係る発明は、請求項１に係る発明において、上記ジョブが、上記画像形成装置側で印字出力が行われる印刷ジョブであることを特徴としたものである。
【０００８】
更に、本願の請求項３に係る発明は、請求項１又は２に係る発明において、上記ジョブが、画像形成装置本体に内蔵される記憶手段へファイルデータを転送するジョブであることを特徴としたものである。
【０００９】
また、更に、本願の請求項４に係る発明は、上記請求項１〜３に係る発明のいずれかにおいて、上記ジョブが、上記情報処理端末へスキャンデータを転送するジョブであることを特徴としたものである。
【００１０】
また、更に、本願の請求項５に係る発明は、上記請求項１〜４に係る発明のいずれかにおいて、上記表示データ作成手段は、上記情報処理端末からのジョブが受け付けられてから所定時間経過した後の該情報処理端末からの表示要求に応じて、該情報処理端末側で最初に表示されるトップページに対応する表示データとして、上記ジョブ情報を含まないデータを作成することを特徴としたものである。
【００１１】
また、更に、本願の請求項６に係る発明は、上記請求項１〜５に係る発明のいずれかにおいて、上記表示データ作成手段は、該情報処理端末側で表示されるトップページに対応する表示データとして、ジョブの停止又はジョブに関連する情報の削除を指示する指示手段を含むデータを作成することを特徴としたものである。
【００１２】
また、更に、本願の請求項７に係る発明は、情報処理端末とネットワークを介して接続され、該情報処理端末と装置との間で実行されるジョブに関連する情報を、該情報処理端末側のウェブブラウザ上で表示可能なデータとして提供する機能を備えた画像形成装置に、表示要求元である情報処理端末との間で実行される若しくは既に実行されたジョブに関連する情報が、装置内に存在するか否かを判断する手順と、上記ジョブに関連する情報が存在すると判断された場合に、該情報処理端末側で、表示要求後に最初に表示されるトップページに対応する表示データとして、該ジョブに関連する情報を含むデータを作成する手順と、を実行させる情報表示プログラムである。
【発明の効果】
【００１３】
本願の請求項１に係る発明によれば、情報処理端末と装置との間で実行されるジョブに関連する情報を、情報処理端末側のウェブブラウザ上で最初に表示されるトップページに対応したデータに含ませることで、情報処理端末のユーザに対し容易にかつ効率良く表示可能に提供することができる。
【００１４】
また、本願の請求項２に係る発明によれば、情報処理端末側で表示されるトップページに、上記画像形成装置側で印字出力が行われる印刷ジョブに関連する情報を含めることができる。
【００１５】
更に、本願の請求項３に係る発明によれば、情報処理端末側で表示されるトップページに、画像形成装置本体に内蔵される記憶手段へファイルデータを転送するジョブに関連する情報を含めることができる。
【００１６】
また、更に、本願の請求項４に係る発明によれば、情報処理端末側で表示されるトップページに、該情報処理端末へスキャンデータを転送するジョブに関連する情報を含めることができる。
【００１７】
また、更に、本願の請求項５に係る発明によれば、ジョブ受付時刻と現在時刻との差が所定時間を超えると判断された場合に、トップページに対応する表示データとして、ジョブ情報を含まない表示データが作成されるようにして、ジョブ情報の表示可能な時間を制限することで、例えば表示要求元である情報処理端末のユーザが入れ替わった可能性がある場合に対処して、ジョブ情報の安全性を確保することができる。
【００１８】
また、更に、本願の請求項６に係る発明によれば、情報処理端末のユーザは、画像形成装置への表示要求後に最初に表示されるトップページからも、画像形成装置側で実行されるジョブを停止したり、画像形成装置側で保持された既に処理済みのジョブデータやジョブ情報を削除したりすることができる。
【００１９】
また、更に、本願の請求項７に係る発明によれば、情報処理端末と装置との間で実行されるジョブに関連する情報を、情報処理端末側のウェブブラウザ上で最初に表示されるトップページに対応したデータに含ませることで、情報処理端末のユーザに対し容易にかつ効率良く表示可能に提供することができる。
【発明を実施するための最良の形態】
【００２０】
以下、本発明の実施形態について、添付図面を参照しながら説明する。
図１は、本発明の実施形態に係る端末及びＭＦＰを含むネットワークの構成を概略的に示す図である。このネットワーク１は、複数のパーソナルコンピュータ（以下、ＰＣと表記）１０と、プリンタ機能，ファクシミリ機能，コピー機能，スキャナ機能など複数の機能をもつＭＦＰ２０と、を有しており、これらは、ネットワークバス１５を介して、互いにデータ送受信可能に接続されている。このネットワーク１では、例えば、ＰＣ１０で処理された文書データや画像データ等のジョブデータを、ＭＦＰ２０へ送信してＭＦＰ２０側でプリントしたり、ＭＦＰ２０で原稿を読み取ることにより作成された画像データを、ＰＣ１０へ送信してＰＣ１０側で表示又は格納したりすることが可能である。
【００２１】
なお、特に図示しないが、ネットワーク１は、インターネットに接続されてもよい。この場合、ＭＦＰ２０は、原稿に基づき作成した画像データを例えば他のネットワーク上にある遠隔の端末へインターネット経由で送信したり、ジョブデータを遠隔の端末からインターネット経由で受信し、それに基づきプリント出力したりすることも可能である。更に、ネットワーク１の構成としては、例えばプロキシサーバ，メールサーバ，ルータ等の図１に示す構成以外も含まれるが、ここでは、それらを省略する。
【００２２】
本実施形態では、ＰＣ１０側で、該ＰＣ１０上で動作するウェブブラウザを用いて、ＭＦＰ２０の仕様又はその状態やＭＦＰ２０に対するオプションの装着状態，ＭＦＰ２０により実行されるジョブの処理進捗状況若しくは既に実行されたジョブの履歴情報を確認したり、ＭＦＰ２０の設定条件を変更したりすることができる。基本的には、ＰＣ１０からの表示要求に応じて、ＭＦＰ２０側で、ＰＣ１０側のウェブブラウザで閲覧可能なページに対応した表示データが作成され、作成後、ＰＣ１０へ送信される。
【００２３】
図２は、ＭＦＰ２０の基本的な構成を示すブロック図である。このＭＦＰ２０は、ＰＣ１０から受け取った印刷ジョブデータに基づき印字を行う印字部２１と、原稿を光学的に読み取り画像データを作成するスキャナ部２２と、スキャナ部２２により作成された若しくはＰＣ１０から転送されてきた画像データを記憶するデータ記憶部２３と、これら構成の機能を独立して実行可能としつつ、各機能の実行をジョブ単位で管理するジョブ管理部２４と、ＰＣ１０等の外部機器との間で各種のデータをやり取りするネットワークインターフェース（図中の「ネットワークＩ／Ｆ」）２５と、を有している。
【００２４】
また、ＭＦＰ２０は、ＰＣ１０からの表示要求に応じて、ＰＣ１０とＭＦＰ２０との間で実行される若しくは既に実行されたジョブに関連する情報を含む表示データを作成するウェブサーバ部２６と、時刻情報を保持し、ジョブ管理部２４が管理するジョブ情報への時刻情報の付加、及び、ウェブサーバ部２６への現在時刻の提供を行うタイマ管理部２７と、を有している。
【００２５】
本実施形態では、ＭＦＰ２０には、該ＭＦＰ２０をウェブベースで管理するためのユーティリティプログラム（以下、表示制御プログラムという）が格納されている。この装置管理プログラムは、ＰＣ１０側で、ウェブブラウザを用いて、ＭＦＰ２０に関する各種情報（例えば、ＭＦＰのシステム構成，ステータス，消耗品，カウンタ，ＭＦＰ本体に対するオプションの装着状態に関する情報）の取得を可能とする機能，例えばネットワークアドレス（ＩＰアドレス）やＦＡＸ機能のワンタッチダイヤル番号，スキャンデータ送信先等の各種情報の設定を可能とする機能，ＰＣ１０側で、ＭＦＰ２０に装着されるオプションの詳細情報（製品型番や仕様等）の取得を可能とする機能を実現する。
【００２６】
ところで、ＰＣ１０とＭＦＰ２０との間で実行されるジョブに関連する情報を、ＰＣ１０側のウェブブラウザ上で表示可能なデータとして提供する機能を備えたＭＦＰ２０に関して、従来では、ＰＣ１０側で、ジョブに関連する情報を閲覧するには、ＭＦＰ２０へのアクセス時に最初に表示されるトップページから別のページへ遷移する操作が必要であったが、かかる面倒な作業を解消するために、本実施形態では、ＰＣ１０からのトップページの表示要求を受けた場合に、ＭＦＰ２０側で、表示要求元であるＰＣ１０に関連する情報を含めたトップページ用の表示データが作成され、ＰＣ１０へ送信されることで、ＰＣ１０のユーザは、トップページからの遷移の操作を要することなく、ジョブに関連する情報を閲覧することができる。以下、ＭＦＰ２０により実行される表示制御処理について詳細に説明する。
【００２７】
なお、以下では、場合によって、表示要求元であるＰＣ１０との間で実行される若しくは既に実行されたジョブに関連する情報を、単に「ジョブ情報」という。また、「ジョブ」とは、ＭＦＰ２０側で印字出力が行われる印刷ジョブ，ＰＣ１０からＭＦＰ本体に内蔵されるジョブデータ記憶部２３へファイルデータを転送するジョブ，ＭＦＰ２０からＰＣ１０へスキャナ部２２で作成されたスキャンデータを転送するジョブを含んでいる。
【００２８】
図３は、ＭＦＰ２０により実行される表示制御処理についてのフローチャートである。この処理では、まず、ＰＣ１０からの表示要求があるか否かが判断され（＃１１）、その結果、表示要求がないと判断された場合には、再度ステップ＃１１が繰り返され、他方、表示要求があると判断された場合には、続いて、それがトップページの表示要求であるか否かが判断される（＃１２）。なお、トップページの表示要求とは、具体的に、ウェブブラウザ上でトップページに対応したＵＲＬ（例えば“http:mfp-abc01”等）が指定された上でのＰＣ１０からのアクセスをあらわす。なお、トップページのＵＲＬとしては、ＭＦＰ２０のホスト名“mfp-abc”の代わりに、ＩＰアドレスが組み込まれたものが用いられてもよい。
【００２９】
ステップ＃１２の結果、トップページの表示要求であると判断された場合には、トップページの表示制御が実行された上で（＃１５）、処理が終了される。本実施形態では、トップページに対応したＵＲＬ“http://mfp-abc01/”が指定された上でのＰＣ１０からのアクセスに対して、ＭＦＰ２０側で、“http://mfp-abc01/index.html”にリダイレクトされることにより、トップページの表示内容が取得される。なお、ステップ＃１５におけるトップページの表示制御の詳細については、図５を参照して後述する。また、一方、ステップ＃１２の結果、トップページの表示要求でないと判断された場合には、引き続き、ジョブ一覧ページの表示要求であるか否かが判断される（＃１３）。なお、この判断は、例えば、ＰＣ１０からのアクセスに伴い、ジョブ一覧ページに対応した“http://mfp-abc01/job-info.html”が指定されているか否かに基づくものである。
【００３０】
ステップ＃１３の結果、ジョブ一覧ページの表示要求であると判断された場合には、ジョブ一覧ページの表示制御が実行された上で（＃１６）、処理が終了される。図４には、ステップ＃１６の結果、ＭＦＰ２０側で作成された表示データに基づき、表示要求元であるＰＣ１０側のモニタ上に表示されるジョブ一覧ページの一例を示す。このジョブ一覧ページには、表示要求元であるＰＣ１０に関するジョブ情報のみならず、ＭＦＰ２０において現在処理中のジョブ又は履歴情報が全て表示される。
【００３１】
また、一方、ステップ＃１３の結果、ジョブ一覧ページの表示要求でないと判断された場合には、引き続き、その他のページの表示制御が実行された上で（＃１４）、処理が終了される。なお、ジョブ一覧ページの表示制御（＃１６）及びその他のページの表示制御（＃１４）については、従来公知の技術であるため、ここでは、それ以上の説明を省略する。
【００３２】
続いて、図５は、図３のステップ＃１５におけるトップページの表示制御についてのフローチャートである。この処理では、まず、ＭＦＰ２０の概要を示す表示データが作成される（＃２１）。ＭＦＰ２０の概要を構成する項目としては、ＭＦＰ２０に装着されるメモリの容量，ネットワークインターフェースの種類，両面ユニット，給紙トレイ，原稿送り装置，原稿読取り装置又はプリンタの装着状況等が含まれる。その後、表示要求元であるＰＣ１０のＩＰアドレスが取得され（＃２２）、更に、ＭＦＰ２０内で処理中のジョブ又は履歴が存在するか否かが判断される（＃２３）。
【００３３】
ステップ＃２３の結果、処理中のジョブ又は既に処理済みジョブの履歴が存在しないと判断された場合には、ステップ＃２８へ進み、基本的にＭＦＰ２０の概要のみ含まれた表示データが、表示要求元であるＰＣ１０へ送信される。以上で、処理が図３に示すメインフローへリターンされる。また、一方、ステップ＃２３の結果、処理中のジョブ又は既に処理済みジョブの履歴が存在すると判断された場合には、続いて、存在するジョブ又は履歴に関連するＩＰアドレスと、ステップ＃２２で取得されたＩＰアドレスとが一致するか否かが判断される（＃２４）。ジョブ又は履歴が複数存在する場合には、各々について、ＩＰアドレスの照合が順次に行われる。ステップ＃２４の結果、ＩＰアドレスが一致しないと判断された場合には、ステップ＃２７へ進み、他方、ＩＰアドレスが一致すると判断された場合には、更に、ＭＦＰ２０が表示要求元であるＰＣ１０に関連するジョブを受け付けた時刻（以下、ジョブ受付時刻という）と、現在時刻（厳密にはＰＣ１０から表示要求を受けた時刻）との差が所定時間以内（例えば５分以内）であるか否かが判断される（＃２５）。
【００３４】
ステップ＃２５の結果、ジョブ受付時刻と現在時刻との差が所定時間を超える場合には、直接にステップ＃２７へ進み、他方、ジョブ受付時刻と現在時刻との差が所定時間以内である場合には、ステップ＃２１で作成された表示データに、表示要求元であるＰＣ１０との間で処理中の若しくは既に処理済みのジョブに関連する情報が追加された上で（＃２６）、ステップ＃２７へ進む。
【００３５】
ステップ＃２７では、全ジョブ又は履歴に関連するＩＰアドレスとステップ＃２２で取得されたＩＰアドレスとの照合が終了したか否かが判断され、その結果、全ジョブ又は履歴に関連するＩＰアドレスの照合が終了されていないと判断された場合には、残りのジョブ又は履歴に関連するＩＰアドレスの照合のために、ステップ＃２４へ戻り、それ以降の処理が繰り返される。また、一方、全ジョブ又は履歴に関連するＩＰアドレスの照合が終了されたと判断された場合には、ＭＦＰ２０の概要に加え、ジョブ情報が含まれた表示データが、表示要求元であるＰＣ１０へ送信される（＃２８）。以上で、処理が図３に示すメインフローへリターンされる。
【００３６】
図６には、ＭＦＰ２０側に表示要求元のＰＣ１０に関連して、処理中のジョブ又は既に処理済みジョブの履歴が存在しない場合、あるいは、それらが存在しても、ジョブ受付時刻と現在時刻との差が所定時間を超える場合に構成された表示データに基づき、ＰＣ１０側で表示されるトップページの一例を示す。このトップページでは、ＭＦＰ２０の概要とともに、表示要求元であるＰＣ１０に関連するジョブが存在しない旨をあらわすメッセージ「このＰＣに関連するジョブはありません」が含まれている。
【００３７】
他方、図７には、ＭＦＰ２０側に表示要求元のＰＣ１０に関連して、処理中のジョブ又は既に処理済みジョブの履歴が存在し、かつ、それらのジョブ受付時刻と現在時刻との差が所定時間以内である場合に構成された表示データに基づき、表示要求元であるＰＣ１０側で表示されるトップページの一例を示す。このトップページでは、ＭＦＰ２０の概要に加え、表示要求元であるＰＣ１０に関連する計３件のジョブ情報が含まれている。また、このトップページでは、上記トップページに含まれたジョブ情報に対応したジョブの停止又はＭＦＰ２０側で保持するジョブ情報の削除を指示するためのボタンが設定されている。これにより、ＰＣ１０のユーザは、ＭＦＰ２０への表示要求後に最初に表示されるトップページからも、ＭＦＰ２０側で実行されるジョブを停止したり、ＭＦＰ２０側で保持された既に処理済みのジョブデータやジョブ情報を削除したりすることができる。
【００３８】
なお、図３及び５のフローチャートでそれぞれあらわされる処理は、例えばＭＦＰ２０に内蔵されたＲＯＭ（不図示）等に格納されるプログラムが読み出されることで実行されるが、かかるプログラムは、ＭＦＰ２０のジョブ管理部２４による制御の基になるプログラムの一部として予め組み込まれるものであっても、あるいは、表示制御プログラムとして、例えばＣＤ，ＤＶＤ等の光ディスク又はフロッピー（登録商標）ディスク等の外部記録媒体を用いて若しくはネットワーク経由でダウンロードすることで、ＭＦＰ２０にインストールされ、内蔵若しくは外付けされたハードディスク（不図示）等に追加的に格納されるものであってもよい。
【００３９】
以上のように、本実施形態によれば、ＭＦＰ２０側で、ＰＣ１０からの表示要求に応じて、ＰＣ１０側で最初に表示されるトップページに対応したデータに、ＰＣ１０とＭＦＰ２０との間で実行される若しくは既に実行されたジョブに関連する情報を含ませることで、ＰＣ１０のユーザは、トップページからの遷移を必要とすることなく、ジョブ情報をより容易にかつ効率良く閲覧することができる。
【００４０】
また、本実施形態によれば、図５中のステップ＃２５でジョブ受付時刻と現在時刻との差が所定時間を超えると判断された場合に、トップページに対応する表示データとして、ジョブ情報を含まない表示データが作成されるようにして、ジョブ情報の表示可能な時間を制限することで、例えば表示要求元であるＰＣ１０のユーザが入れ替わった可能性がある場合に対処して、ジョブ情報の安全性を確保することができる。
【００４１】
なお、本発明は、例示された実施形態に限定されるものでなく、本発明の要旨を逸脱しない範囲において、種々の改良及び設計上の変更が可能であることは言うまでもない。
【図面の簡単な説明】
【００４２】
【図１】ＰＣ及びＭＦＰが接続されたネットワークの構成を概略的に示す図である。
【図２】上記ＭＦＰの基本構成をあらわすブロック図である。
【図３】上記ＭＦＰにより実行される表示制御処理についてのフローチャートである。
【図４】上記ＭＦＰ側で作成された表示データに基づき、上記ＰＣ側で表示されるジョブ一覧ページの一例を示す図である。
【図５】上記ＭＦＰにより実行されるトップページの表示制御についてのフローチャートである。
【図６】上記ＭＦＰ側に表示要求元のＰＣに関連する情報がない、若しくは、それらが存在しても、ジョブ受付時刻と現在時刻との差が所定時間を超える場合に、上記ＭＦＰ側で作成された表示データに基づき、上記ＰＣ側で表示されるトップページの一例を示す図である。
【図７】上記ＭＦＰ側に表示要求元のＰＣに関連する情報があり、かつ、ジョブ受付時刻と現在時刻との差が所定時間以内である場合に、上記ＭＦＰ側で作成された表示データに基づき、上記ＰＣで表示されるトップページの一例を示す図である。
【符号の説明】
【００４３】
１…ネットワーク，１０…ＰＣ，２０…ＭＦＰ，２１…印字部，２２…スキャナ部，２３…ジョブデータ記憶部，２４…ジョブ管理部，２５…ネットワークインターフェース，２６…ウェブサーバ部，２７…タイマ管理部。
【図１】
2007148481.tif 000003
【図２】
2007148481.tif 000004
【図３】
2007148481.tif 000005
【図４】
2007148481.tif 000006
【図５】
2007148481.tif 000007
【図６】
2007148481.tif 000008
【図７】
2007148481.tif 000009